(57)【要約】【課題】  画像表示ユニットの使い勝手を改善する。【解決手段】  収納状態で表示画面の長辺が筐体１２の上下方向に略沿うように配置される((Ａ）参照）ＬＣＤユニット１６を、筐体１２の上下方向及び前後方向に対して各々傾斜する第１の軸回り((Ａ)〜(Ｃ)の状態の間の回動）、第２の軸Ｂ回り、及び筐体１２の前後方向に略平行な第３の軸回り((Ｂ)〜(Ｃ)〜(Ｄ)の状態の間の回動）に各々回動可能なように、図示しないボールジョイントによってＬＣＤユニット１６の角部を筐体１２と連結する。【選択図】        図１
2005064957.tif 000002
【特許請求の範囲】
【請求項１】
撮影された画像を矩形状の表示画面に表示可能な画像表示ユニットと、
装置本体の筐体に対し、該筐体の上下方向及び前後方向に対して各々傾斜している第１の軸回りに前記画像表示ユニットが回動可能なように、前記表示画面の角部に近接した前記画像表示ユニットの端部で前記画像表示ユニットを前記筐体と連結する連結部材と、
を含む撮影装置。
【請求項２】
前記連結部材は、前記筐体に対し、前記画像表示ユニットが対角位置に存在する前記表示画面の第１の角部と第２の角部を結ぶ方向に略平行な第２の軸回りにも回動可能に構成されていることを特徴とする請求項１記載の撮影装置。
【請求項３】
前記連結部材は、前記筐体に対し、前記画像表示ユニットが前記筐体の前後方向に略平行な第３の軸回りにも回動可能に構成されていることを特徴とする請求項１又は請求項２記載の撮影装置。
【請求項４】
前記連結部材はボールジョイント又はヒンジを含んで構成されていることを特徴とする請求項１乃至請求項３の何れか１項記載の撮影装置。
【請求項５】
前記画像表示ユニットは、前記筐体と略面一となる収納位置に位置している状態で、前記表示画面の長辺が筐体の上下方向に略沿うように配置されていることを特徴とする請求項１記載の撮影装置。
【請求項６】
表示画面の天地方向を検出する天地検出手段と、
表示画面に表示される画像の上下方向が表示画面の天地方向と一致するように、表示画面への画像表示を制御する画像表示制御手段と、
を更に備えたことを特徴とする請求項２又は請求項３記載の撮影装置。
【請求項７】
前記画像表示制御手段は、表示画面の天地方向に基づいて、表示画面に表示される画像のサイズを拡大又は縮小することを特徴とする請求項６記載の撮影装置。
【発明の詳細な説明】
【技術分野】
【０００１】
本発明は撮影装置に係り、特に、撮影された画像を矩形状の表示画面に表示可能な画像表示ユニットを備えた撮影装置に関する。
【背景技術】
【０００２】
デジタルスチルカメラ（ＤＳＣ）やデジタルビデオカメラ等の撮影装置では、撮影された画像（撮影後の画像（静止画像又は動画像）、或いは撮影前の被写体の画像）の確認等のためにＬＣＤ等から成る画像表示ユニットが設けられている。この種の画像表示ユニットは、特に収納状態でのサイズの小型化を考慮し、また画像表示ユニットに表示された画像を確認しながら様々な撮影アングルでの撮影を可能とするために、画像表示ユニットの一辺側を中心として（筐体の上下方向に略平行な軸回りに）回動可能に装置本体の筐体と連結され、装置本体の筐体と略面一の状態となる収納位置と、装置本体の筐体から突出し表示画面が露出する表示位置の間を移動可能とされている。
【０００３】
また特許文献１には、画像表示ユニットの一側辺部を、収納部から他側辺部が離れるように回動支持部により回動可能に支持すると共に、該回動支持部の回動軸と直交する方向に回動軸を有する補助回動手段を介在させ、画像表示ユニットの表裏の一方を選択して収納部に収納可能とする構造が提案されている。
【特許文献１】特開平８−１２５８９０号公報
【発明の開示】
【発明が解決しようとする課題】
【０００４】
撮影装置の筐体の小型化は常に改善が求められる重要な課題である。撮影装置の筐体が全体として縦長の形状である等の場合の筐体の小型化には、画像表示ユニットの収納状態で、画像表示ユニットの矩形状の表示画面が縦長となる向き（表示画面の長辺の方向が筐体の上下方向と略平行になる向き）に画像表示ユニットを配置することが有効である。一方、撮影装置によって撮影される画像は、一般に外縁形状が横長の矩形状であるので、画像表示ユニットの使用時（撮影時や画像再生時）における画像表示ユニットの向きは、表示画面が横長となる向き（表示画面の短辺の方向が筐体の上下方向と略平行になる向き）であることが望ましい。
【０００５】
そして、表示画面が縦長となる向きで収納されている画像表示ユニットを、表示画面が横長になる向きにするためには、画像表示ユニットを筐体の前後方向に略平行な軸回りにも回動可能に構成しておき、表示画面が縦長となる向きで収納されている画像表示ユニットを、画像表示ユニットの一辺側を中心として回動させ、表示画面が縦長となる向きのまま収納位置から引き出した後に、表示画面が横長となる向きになるように筐体の前後方向に略平行な軸回りに回動させる必要がある。
【０００６】
このように、収納状態で表示画面が縦長となる向きに画像表示ユニットを配置した場合、画像表示ユニットを収納位置から引き出して使用するにあたり、画像表示ユニットを互いに異なる２つの軸回りに順次回動させる２段階の操作を行う必要があるので、撮影装置の画像表示ユニットの使い勝手が悪いという問題がある。
【０００７】
本発明は上記事実を考慮して成されたもので、画像表示ユニットの使い勝手が改善された撮影装置を得ることが目的である。
【課題を解決するための手段】
【０００８】
上記目的を達成するために請求項１記載の発明に係る撮影装置は、撮影された画像を矩形状の表示画面に表示可能な画像表示ユニットと、装置本体の筐体に対し、該筐体の上下方向及び前後方向に対して各々傾斜している第１の軸回りに前記画像表示ユニットが回動可能なように、前記表示画面の角部に近接した前記画像表示ユニットの端部で前記画像表示ユニットを前記筐体と連結する連結部材と、を含んで構成されている。
【０００９】
請求項１記載の発明では、筐体の上下方向及び前後方向に対して各々傾斜している第１の軸回りに画像表示ユニットが回動可能なように、矩形状の表示画面の角部に近接した画像表示ユニットの端部で連結部材により画像表示ユニットを筐体と連結している。これにより、収納状態で表示画面が縦長となる向きに画像表示ユニットを配置した場合、収納位置から引き出すために第１の軸回りに画像表示ユニットを回動させることで、筐体の上下方向に略平行な軸回りの回動と、筐体の前後方向に略平行な軸回りの回動が同時に成され、表示画面が横長となる向きに画像表示ユニットが引き出されることになる。従って、画像表示ユニットの使い勝手を向上させることができる。
【００１０】
なお、請求項１記載の発明において、連結部材は、例えば請求項２に記載したように、装置本体の筐体に対し、画像表示ユニットが対角位置に存在する表示画面の第１の角部と第２の角部を結ぶ方向に略平行な第２の軸回りにも回動可能に構成されていることが好ましい。これにより、画像表示ユニットを第２の軸回りに回動させることで、表示画面を回動前と逆側に向けることができるので、例えば撮影者自身を撮影する際に画像表示ユニットを撮影者側に向け、画像表示ユニットに表示されている画像を確認しながら撮影者自身の撮影を行うことも可能となり、画像表示ユニットの使い勝手を更に向上させることができる。
【００１１】
また、請求項１又は請求項２記載の発明において、連結部材は、例えば請求項３に記載したように、装置本体の筐体に対し、画像表示ユニットが筐体の前後方向に略平行な第３の軸回りにも回動可能に構成されていることが好ましい。これにより、画像表示ユニットを使用する際の画像表示ユニットの位置や向きの自由度が向上するので、画像表示ユニットの使い勝手を更に向上させることができる。
【００１２】
また、請求項１乃至請求項３の何れかに記載の発明において、連結部材は、例えば請求項４に記載したように、ボールジョイント又はヒンジを含んで構成することができる。連結部材をヒンジで構成する場合、例えば請求項２又は請求項３に記載したように、画像表示ユニットを複数の軸回りに回動可能とすることは、回動軸を互いに異なる軸と平行に配置した複数のヒンジを連結して連結部材を構成することで実現できる。
【００１３】
更に、請求項１記載の発明において、画像表示ユニットは、例えば請求項５に記載したように、装置本体の筐体と略面一となる収納位置に位置している状態で、表示画面の長辺が筐体の上下方向に略沿うように（すなわち表示画面が縦長に）配置されていることが好ましい。これにより、特に装置本体の筐体が全体として縦長の形状である等の場合に、筐体の小型化を容易に実現することができる。
【００１４】
また、画像表示ユニットを、例えば請求項２に記載した第２の軸回り、或いは請求項３に記載した第３の軸回りに回動可能とした場合、画像表示ユニットがこれらの軸回りに回動されることに伴って表示画面の天地方向が変化する。これを考慮すると、請求項２又は請求項３記載の発明において、例えば請求項６に記載したように、表示画面の天地方向を検出する天地検出手段と、表示画面に表示される画像の上下方向が表示画面の天地方向と一致するように、表示画面への画像表示を制御する画像表示制御手段と、を更に設けることが好ましい。
【００１５】
請求項６記載の発明によれば、画像表示ユニットが第２の軸回り又は第３の軸回りに回動されることに伴って表示画面の天地方向が変化した場合にも、表示画像の上下方向が表示画面の天地方向に一致されるので、画像表示ユニットの回動に拘わらず画像表示ユニットの表示画面に見易い向きで画像が表示されることになり、画像表示ユニットの使い勝手を更に向上させることができる。
【００１６】
なお、請求項６記載の発明において、第２の軸又は第３の軸回りに画像表示ユニットが回動された場合には、矩形状の表示画面の長辺の方向が変化する（すなわち表示画面の横長／縦長が切り替わる）可能性がある。このため、例えば請求項７に記載したように、画像表示制御手段を、表示画面の天地方向に基づいて、表示画面に表示される画像のサイズを拡大又は縮小するように構成することが好ましい。これにより、表示画面の長辺の方向（表示画面が横長か縦長か）に拘わらず、表示すべき画像の全面を表示画面に表示させることが可能となる。
【発明の効果】
【００１７】
以上説明したように本発明は、装置本体の筐体に対し、該筐体の上下方向及び前後方向に対して各々傾斜している第１の軸回りに画像表示ユニットが回動可能なように、表示画面の角部に近接した前記画像表示ユニットの端部で連結部材により画像表示ユニットを筐体と連結したので、画像表示ユニットの使い勝手を改善することができる、という優れた効果を有する。
【発明を実施するための最良の形態】
【００１８】
以下、図面を参照して本発明の実施形態の一例を詳細に説明する。図１には本実施形態に係るデジタルスチルカメラ１０（以下、ＤＳＣ１０と称する）が示されている。ＤＳＣ１０は本発明に係る撮影装置に対応しており、略箱形の筐体１２を備えている。筐体１２は、最も長い辺を上下方向、最も短い辺を幅方向、中間の長さの辺を前後方向とする縦長の形状とされており、最も長い辺と最も短い辺で囲まれた一対の面の一方には、その上端部付近に、複数枚のレンズを含んで構成された光学系１４が取付けられている。なお、以下では、光学系１４が取付けられている側を「前」、その反対側を「後」と称する。
【００１９】
筐体１２の内部の光学系１４の焦点位置に相当する箇所にはＣＣＤ等から成る撮像デバイスが配置されており、更に、光学系を駆動する光学系駆動回路、撮像デバイスを駆動する撮像デバイス駆動回路も筐体１２内に配設されている。これらの撮像デバイス、光学系駆動回路及び撮像デバイス駆動回路は図３に示す撮像部４６を構成している。図３に示すように、撮像部４６は画像メモリ４８に接続されており、画像メモリ４８には、記録メディア５０に画像データを書き込むと共に記録メディア５０に記録されている画像データを読み出すメディアドライバ５２と、画像メモリ４８から読み出された画像データに対して所定の画像処理を行う画像データ処理部５４が接続されている。メディアドライバ５２、画像メモリ４８及び画像データ処理部５４も筐体１２内に配設されている。
【００２０】
また、ＤＳＣ１０の筐体１２には、本発明に係る画像表示ユニット（詳しくは請求項５に記載の画像表示ユニット）としてのＬＣＤユニット１６が取付けられている。ＬＣＤユニット１６は表示画面が矩形状とされたＬＣＤ（液晶ディスプレイ）１８（図３参照）を内蔵している。図３に示すように、ＬＣＤ１８はＬＣＤドライバ５６を介して画像データ処理部５４に接続されており、画像データ処理部５４から出力された画像データが表す画像（記録メディア５０から読み出された画像データが表す画像や、撮像部４６で撮影対象の被写体が撮像（撮影）されることで撮像部４６から出力された画像データが表す画像）を表示画面に表示可能とされている。
【００２１】
ＬＣＤユニット１６は全体として略矩形状とされており、筐体１２の最も長い辺と中間の長さの辺で囲まれた一対の面の一方には、ＬＣＤ１８の矩形状の表示画面の長辺が筐体１２の上下方向に沿うようにＬＣＤユニット１６を向けた状態で、該ＬＣＤユニット１６が嵌り込むための切欠き（収納部）２０が形成されている（図１（Ｂ）〜（Ｄ）を参照）。収納部２０は、ＬＣＤユニット１６が嵌り込んだ状態でＬＣＤユニット１６と筐体１２が略面一となるように、大きさ及び深さが定められている。
【００２２】
またＬＣＤユニット１６は、詳しくは、４個の角部のうち、収納部２０に収納された状態（ＬＣＤ１８の表示画面が筐体側を向き、かつ表示画面の長辺が筐体１２の上下方向に沿っている状態）で前側かつ上側に位置する角部が斜めに切断されることで、前記角部に相当する位置に斜辺部１６Ａ（図２（Ａ）も参照）が形成された形状とされており、筐体１２のうちＬＣＤユニット１６が収納部２０に収納された状態で斜辺部１６Ａに近接した位置には、ＬＣＤユニット１６と筐体１２を斜辺部１６Ａで連結するボールジョイント２２（図２（Ａ）参照）が設けられている。なお、ボールジョイント２２は可撓性を有する材料から成り、シャフト２４（後述）が通過するための切れ込みが設けられたカバー３０で覆われている。
【００２３】
ボールジョイント２２は、一端がＬＣＤユニット１６の斜辺部１６Ａに取り付けられたシャフト２４の他端が連結されたボール２６と、このボール２６を把持すると共に筐体１２に取り付けられた把持部材２８から構成されている。把持部材２８の形状は、筐体１２に対し、筐体１２の上下方向及び前後方向に対して各々傾斜している第１の軸Ａ、ＬＣＤ１８の４個の角部のうち、斜辺部１６Ａに最も近い位置に位置している第１の角部と、該角部の対角位置に存在している第２の角部を結ぶ方向に略平行な第２の軸Ｂ、及び、筐体１２の前後方向に略平行な第３の軸Ｃの各軸回りにＬＣＤユニット１６が回動可能（ボール２６及びＬＣＤユニット１６の回動に伴うシャフト２４の移動を把持部材２８が阻害しない）で、かつＬＣＤユニット１６が収納部２０に収納された状態からは、筐体１２の上下方向に略平行な第４の軸Ｄ回りにもＬＣＤユニット１６が回動可能な（ボール２６及びＬＣＤユニット１６の回動に伴うシャフト２４の移動を把持部材２８が阻害しない）ように定められている。
【００２４】
これにより、ＬＣＤユニット１６が収納部２０に収納されている状態で、第１の軸Ａ回りにＬＣＤユニット１６を回動させることで、図１（Ｃ）に実線で示す位置（第１の位置と称する）にＬＣＤユニット１６を移動させることができ、ＬＣＤ１８の表示画面が横長となりかつ後方を向くようにすることを、１つの回動操作で実現することができる。また、ＬＣＤユニット１６が第１の位置に位置している状態で第２の軸Ｂ回りにＬＣＤユニット１６を回動させた場合、図１（Ｃ）に想像線で示すように、ＬＣＤ１８の表示画面を前方に向けることができる（第２の位置と称する：但し、表示画面は縦長となる）。
【００２５】
また、ＬＣＤユニット１６が収納部２０に収納されている状態で第４の軸Ｄ回りにＬＣＤユニット１６を回動させるか、又は、ＬＣＤユニット１６が第１の位置に位置している状態で第３の軸Ｃ回りにＬＣＤユニット１６を回動させた場合には、図１（Ｂ）に実線で示す位置（第３の位置と称する）にＬＣＤユニット１６を移動させることができる（但し、表示画面は縦長となる）。また、この状態で第２の軸Ｂ回りにＬＣＤユニット１６を回動させた場合には、図１（Ｂ）に想像線で示すようにＬＣＤ１８の表示画面を前方に向けることができる（第４の位置と称する：表示画面も横長となる）。
【００２６】
更に、ＬＣＤユニット１６が第１の位置に位置している状態で第３の軸Ｃ回りにＬＣＤユニット１６を回動させることで、図１（Ｄ）に実線で示す位置（第５の位置と称する）にＬＣＤユニット１６を移動させることもできる（但し、表示画面は縦長となる）。また、この状態で第２の軸Ｂ回りにＬＣＤユニット１６を回動させた場合には、図１（Ｄ）に想像線で示すようにＬＣＤ１８の表示画面を前方に向けることができる（第６の位置と称する：表示画面も横長となる）。
【００２７】
このように、ボールジョイント２２は本発明に係る連結部材（詳しくは請求項２〜請求項４に記載の連結部材）に対応している。
【００２８】
図２（Ｃ）に示すように、シャフト２４の中間部には、シャフト２４を挟んで対向する位置に、突出量が異なる第１の突起３２及び第２の突起３４が各々設けられている。ＬＣＤユニット１６が第１の位置又は第２の位置に位置している場合、シャフト２４は図２（Ａ）に示す位置Ｅに位置しているが、ボールジョイント２２の把持部材２８のうち、この状態で第１の突起３２又は第２の突起３４と接触する位置には第１リミットスイッチ３６が設けられている。
【００２９】
第１リミットスイッチ３６は、ばね等で付勢された接触子３６Ａを備え、この接触子３６Ａが押圧されて移動されることで接点が切り替わると共に、接触子３６Ａの移動量に応じて接点が更に２段階に切り替わる３接点型となっている。ＬＣＤユニット１６が第１の位置に位置しているときには、第１リミットスイッチ３６の接触子３６Ａは第１の突起３２によって押圧され（このときの第１リミットスイッチ３６の出力を便宜上「Ｌ」と称する）、ＬＣＤユニット１６が第２の位置に位置しているときには、第１リミットスイッチ３６の接触子３６Ａは第２の突起３４によって押圧される（このときの第１リミットスイッチ３６の出力を便宜上「Ｈ」と称し、接触子３６Ａが押圧されていない状態での第１リミットスイッチ３６の出力を便宜上「ＯＦＦ」と称する）。
【００３０】
また、ＬＣＤユニット１６が第３の位置又は第４の位置に位置している場合、シャフト２４は図２（Ａ）に示す位置Ｆに位置しているが、この状態で第１の突起３２又は第２の突起３４と接触する位置には第２リミットスイッチ３８が設けられている。第２リミットスイッチ３８は第１リミットスイッチ３６と同様の構成とされ、ＬＣＤユニット１６が第３の位置に位置しているときには、第２リミットスイッチ３８の接触子３８Ａは第１の突起３２によって押圧され（第２リミットスイッチ３８の出力が「Ｌ」となる）、ＬＣＤユニット１６が第４の位置に位置しているときには、第２リミットスイッチ３８の接触子３８Ａは第２の突起３４によって押圧される（第２リミットスイッチ３８の出力が「Ｈ」となる）。
【００３１】
更に、ＬＣＤユニット１６が第５の位置又は第６の位置に位置している場合、シャフト２４は図２（Ｂ）に示す位置Ｇに位置しているが、この状態で第１の突起３２又は第２の突起３４と接触する位置には第３リミットスイッチ４０が設けられている。第３リミットスイッチ４０も第１リミットスイッチ３６と同様の構成とされ、ＬＣＤユニット１６が第５の位置に位置しているときには、第３リミットスイッチ４０の接触子４０Ａは第１の突起３２によって押圧され（第３リミットスイッチ４０の出力が「Ｌ」となる）、ＬＣＤユニット１６が第６の位置に位置しているときには、第３リミットスイッチ４０の接触子４０Ａは第２の突起３４によって押圧される（第３リミットスイッチ４０の出力が「Ｈ」となる）。
【００３２】
図３に示すように、第１リミットスイッチ３６、第２リミットスイッチ３８及び第３リミットスイッチ４０は、マイクロコンピュータを含んで構成されＤＳＣ１０の各部の動作を制御するカメラ制御部５８に接続されており、各リミットスイッチの出力はカメラ制御部５８に各々入力される。カメラ制御部５８は画像データ処理部５４や撮像部４６、メディアドライバ５２等に接続されている（図３ではカメラ制御部５８と画像データ処理部５４の接続以外の図示を省略している）。また、カメラ制御部５８には収納位置センサ６０も接続されている。収納位置センサ６０は、ＬＣＤユニット１６が収納部３０に収納されているか否かに応じて接点が切り替わるスイッチで構成することができる。
【００３３】
なお、第１リミットスイッチ３６、第２リミットスイッチ３８及び第３リミットスイッチ４０は請求項６に記載の天地検出手段に対応しており、カメラ制御部５８は請求項６に記載の画像表示制御手段（詳しくは請求項７に記載の画像表示制御手段）としての機能を備えている（詳細は後述）。
【００３４】
次に、ＤＳＣ１０の電源がオンされている間、カメラ制御部５８で実行される画像表示制御処理について、図４のフローチャートを参照して説明する。ステップ１００では各リミットスイッチの状態（出力がＯＦＦ・Ｌ・Ｈの何れであるか）を記憶する。なお、ＬＣＤユニット１６が収納部３０に収納されている場合、各リミットスイッチの出力は各々ＯＦＦとなる。次のステップ１０２では収納位置センサ６０がオンしているか否か、すなわちＬＣＤユニット１６が収納部３０に収納されているか否かを判定する。判定が肯定された場合はステップ１０３へ移行し、ＬＣＤユニット１６のＬＣＤ１８への画像表示を停止してステップ１０２に戻る。これにより、ＬＣＤユニット１６が収納部３０に収納されている間は、ＬＣＤ１８への画像表示を停止している状態が継続されることになる。
【００３５】
ＬＣＤユニット１６が収納部３０から引き出されることで収納位置センサ６０がオフすると、ステップ１０２の判定が否定されてステップ１０４へ移行し、収納位置センサ６０がオンからオフに変化した直後か否か判定する。判定が肯定された場合はステップ１０６へ移行し、ＬＣＤユニット１６のＬＣＤ１８への画像表示が開始されるように画像データ処理部５４を制御する。これにより、ＬＣＤ１８に表示すべき画像を表す画像データが画像メモリ４８から読み出され、画像データ処理部５４へ所定の画像処理が行われた後にＬＣＤドライバ５６へ順次出力されることで、ＬＣＤ１８に画像が表示される。
【００３６】
ここで、本実施形態では、例として図５（Ａ）に示すように、ＬＣＤ１８の表示画面を囲む４本の辺のうち、斜辺部１６Ａに近接する角部に接する短辺を「辺Ａ」、長辺を「辺Ｄ」、辺Ａに対向する短辺を「辺Ｃ」、辺Ｄに対向する長辺を「辺Ｂ」と称しているが、本実施形態において、収納位置から引き出したＬＣＤユニット１６の標準的な位置は辺Ｂが上側（天地方向の天側）となる第１の位置（図１（Ｃ）に実線で示す位置）である。このため、上述したステップ１０６では、詳しくは、表示画面の辺Ｂを上側（天地方向の天側）とする向きでＬＣＤ１８の表示画面の全面に画像が表示されるように（図５（Ｃ）参照）、画像データ処理部５４からＬＣＤドライバ５６への画像データの出力順序を制御する。
【００３７】
次のステップ１０８では、何れかのリミットスイッチの状態（出力）が変化したか否か判定する。判定が否定された場合はステップ１０２に戻り、ステップ１０２〜ステップ１０８を繰り返す。ＬＣＤユニット１６が第１の位置〜第６の位置の何れかへ移動されると、何れかのリミットスイッチの状態（出力）が変化することでステップ１０８の判定が肯定され、次のステップ１１０以降でリミットスイッチの状態の判定及び該判定の結果に基づく表示画像の向きの制御を行う。
【００３８】
すなわち、ステップ１１０では第２リミットスイッチ３８の出力がＬか否か判定する。第２リミットスイッチ３８の出力がＬの場合、ＬＣＤユニット１６は表示画面の４辺のうちの辺Ａが上側（天地方向の天側）となる第３の位置（図１（Ｂ）に実線で示す位置）に位置していると判断できる。また、この第３の位置では表示画面が縦長となる。このため、ステップ１１０の判定が肯定された場合はステップ１２０へ移行し、図５（Ｂ）に示すように、表示画面の辺Ａを上側（天地方向の天側）とする向きで、かつ表示画像の横方向サイズがＬＣＤ１８の表示画面の短辺の長さに略一致する表示サイズでＬＣＤ１８に画像が表示されるように、画像データ処理部５４からＬＣＤドライバ５６への画像データの出力順序及びＬＣＤ１８への画像の表示サイズを制御する。
【００３９】
また、ステップ１１０の判定が否定された場合にはステップ１１２へ移行し、第２リミットスイッチ３８の出力がＨか否か判定する。第２リミットスイッチ３８の出力がＨの場合、ＬＣＤユニット１６は表示画面の４辺のうちの辺Ｄが上側（天地方向の天側）となる第４の位置（図１（Ｂ）に想像線で示す位置）に位置していると判断できる。このため、ステップ１１２の判定が肯定された場合にはステップ１２２へ移行し、図５（Ｅ）に示すように、表示画面の辺Ｄを上側（天地方向の天側）とする向きでＬＣＤ１８の表示画面の全面に画像が表示されるように、画像データ処理部５４からＬＣＤドライバ５６への画像データの出力順序を制御する。
【００４０】
また、ステップ１１２の判定が否定された場合にはステップ１１４へ移行し、第１リミットスイッチ３６の出力がＬか否か判定する。第１リミットスイッチ３６の出力がＬの場合、ＬＣＤユニット１６は表示画面の４辺のうちの辺Ｂが上側（天地方向の天側）となる第１の位置（図１（Ｃ）に実線で示す位置）に位置していると判断できる。このため、ステップ１１４の判定が肯定された場合はステップ１２４へ移行し、図５（Ｃ）に示すように、表示画面の辺Ｂを上側（天地方向の天側）とする向きでＬＣＤ１８の表示画面の全面に画像が表示されるように、画像データ処理部５４からＬＣＤドライバ５６への画像データの出力順序を制御する。
【００４１】
更に、ステップ１１４の判定が否定された場合にはステップ１１６へ移行し、第１リミットスイッチ３６の出力がＨか否か判定する。第１リミットスイッチ３６の出力がＨの場合、ＬＣＤユニット１６は表示画面の４辺のうちの辺Ｃが上側（天地方向の天側）となる第２の位置（図１（Ｃ）に想像線で示す位置）に位置していると判断できる。また、この第２の位置では表示画面が縦長となる。このため、ステップ１１６の判定が肯定された場合はステップ１２６へ移行し、図５（Ｄ）に示すように、表示画面の辺Ｃを上側（天地方向の天側）とする向きで、かつ表示画像の横方向サイズがＬＣＤ１８の表示画面の短辺の長さに略一致する表示サイズでＬＣＤ１８に画像が表示されるように、画像データ処理部５４からＬＣＤドライバ５６への画像データの出力順序及びＬＣＤ１８への画像の表示サイズを制御する。
【００４２】
また、ステップ１１６の判定が否定された場合にはステップ１１８へ移行し、第３リミットスイッチ４０の出力がＬか否か判定する。第３リミットスイッチ４０の出力がＬの場合、ＬＣＤユニット１６は表示画面の４辺のうちの辺Ｃが上側（天地方向の天側）となる第５の位置（図１（Ｄ）に実線で示す位置）に位置していると判断できる。また、この第５の位置でも表示画面が縦長となる。このため、ステップ１１８の判定が肯定された場合もステップ１２６へ移行し、図５（Ｄ）に示すように、表示画面の辺Ｃを上側（天地方向の天側）とする向きで、かつ表示画像の横方向サイズがＬＣＤ１８の表示画面の短辺の長さに略一致する表示サイズでＬＣＤ１８に画像が表示されるように、画像データ処理部５４からＬＣＤドライバ５６への画像データの出力順序及びＬＣＤ１８への画像の表示サイズを制御する。
【００４３】
また、ステップ１１８の判定が肯定された場合は第３リミットスイッチ４０の出力がＨの場合であり、ＬＣＤユニット１６は表示画面の４辺のうちの辺Ｂが上側（天地方向の天側）となる第６の位置（図１（Ｄ）に想像線で示す位置）に位置していると判断できる。このため、ステップ１１８の判定が肯定された場合はステップ１２４へ移行し、図５（Ｃ）に示すように、表示画面の辺Ｂを上側（天地方向の天側）とする向きでＬＣＤ１８の表示画面の全面に画像が表示されるように、画像データ処理部５４からＬＣＤドライバ５６への画像データの出力順序を制御する。
【００４４】
上述したステップ１２０〜ステップ１２６の何れかの処理を行うことで、ユーザがＬＣＤユニット１６を好みの位置へ移動させ、このＬＣＤユニット１６の移動に伴ってＬＣＤ１８の表示画面の天地方向及びアスペクト比（縦長／横長）が変化した場合にも、表示すべき画像の全面がＬＣＤ１８の表示画面に見易い向きで表示されることになるので、ＬＣＤユニット１６の使い勝手を更に向上させることができる。
【００４５】
ステップ１２０〜ステップ１２６の何れかの処理を行うとステップ１００に戻り、ステップ１００以降の処理を繰り返す。これにより、ＬＣＤユニット１６が収納部２０に収納されることで収納位置センサ６０がオンするか、ＬＣＤユニット１６が別の位置へ移動されることで何れかのリミットスイッチの状態（出力）が変化する迄の間、現在の向き及び表示サイズでの画像の表示が継続され、ＬＣＤユニット１６が収納部２０に収納された場合には画像の表示が停止され、ＬＣＤユニット１６が別の位置へ移動された場合には、移動後のＬＣＤユニット１６の位置に応じて画像の向き及び表示サイズが切り替わることになる。
【００４６】
なお、上記では本発明に係る連結部材として、画像表示ユニットとしてのＬＣＤユニット１６を第１の軸Ａ、第２の軸Ｂ、第３の軸Ｃ及び第４の軸Ｄ回りに回動可能に構成したボールジョイント２２を例に説明したが、収納状態で表示画面が縦長となる向きに配置したＬＣＤユニット１６を１回の操作で表示画面が横長となる向きに引き出すことは、ＬＣＤユニット１６を少なくとも第１の軸Ａ回りに回動可能に連結部材を構成することで実現できるので、連結部材として、ＬＣＤユニット１６をより少数の回動軸回りに回動可能とした構成を採用してもよい。例えば図６に示すように、回動軸７２Ａが第１の軸Ａと平行となるように配置したヒンジ７２の回動部７２ＢをＬＣＤユニット１６に連結すると共に、基部７２Ｃを筐体１２の左右方向に平行な軸（すなわち第２の軸Ｂ）回りに回動可能に筐体１２に連結した構成の連結部材７０を用いてもよい。
【００４７】
また、上記では本発明に係る画像表示ユニットとして、全体として略矩形状で斜辺部が形成されたＬＣＤユニット１６を例に説明したが、画像表示ユニット自体の形状は矩形状に限られるものではなく、多角形や円形等、任意の形状でよいことは言うまでもない。
【００４８】
また、上記では本発明に係る撮影装置としてＤＳＣ１０を例に挙げて説明したが、本発明はこれに限定されるものではなく、デジタルビデオカメラ、被写体を撮影する機能を備えた携帯電話機、写真フィルムに画像を露光記録するカメラ等の撮影装置に適用可能である。
【図面の簡単な説明】
【００４９】
【図１】ＬＣＤユニットが各位置へ回動された状態での撮影装置の斜視図である。
【図２】ボールジョイントの、（Ａ）は平面図、（Ｂ）は側面図、（Ｃ）はボールジョイントとＬＣＤユニットを連結するロッドに設けられた突起を示す図である。
【図３】撮影装置の電気系の概略構成を示すブロック図である。
【図４】画像表示制御処理の内容を示すフローチャートである。
【図５】（Ａ）はＬＣＤユニットの表示画面の各辺の定義を示す説明図、（Ｂ）〜（Ｅ）はＬＣＤユニットが各向きのときの画像表示範囲を各々示す説明図である。
【図６】連結部材の他の構成を示す平面図である。
【符号の説明】
【００５０】
１０  ＤＳＣ
１２  筐体
１６  ＬＣＤユニット
２２  ボールジョイント
３６  第１リミットスイッチ
３８  第２リミットスイッチ
４０  第３リミットスイッチ
５８  カメラ制御部
７０  連結部材
７２  ヒンジ
【図１】
2005064957.tif 000003
【図２】
2005064957.tif 000004
【図３】
2005064957.tif 000005
【図４】
2005064957.tif 000006
【図５】
2005064957.tif 000007
【図６】
2005064957.tif 000008